(57)【要約】【課題】遊技媒体計数装置のシャッターが閉鎖状態にある場合に行われた計数処理を検出する。【解決手段】遊技媒体を計数する計数センサ部２５と、計数センサ部２５において計数される遊技媒体が投入される投入口を閉鎖する閉鎖状態と、当該投入口を開放する開放状態とに変位されるシャッターを備えたシャッター部３０と、シャッターが閉鎖状態にあるか否かを記憶する記憶部２７と、記憶部２７にシャッターが閉鎖状態にあると記憶されているときの、計数センサ部２５における計数処理の有無を判定する制御部２９を備え、制御部２９の判定結果に基づいて所定の処理が行われる構成としてある。【選択図】図２
2015062464.tif 000002
【特許請求の範囲】
【請求項１】
遊技媒体を計数する計数手段と、
前記計数手段において計数される遊技媒体が投入される遊技媒体投入口と、
前記遊技媒体投入口を閉鎖する閉鎖状態と、当該遊技媒体投入口を開放する開放状態とに変位される閉鎖手段と、
前記閉鎖手段が閉鎖状態にあるか否かを記憶する状態記憶手段と、
前記状態記憶手段に前記閉鎖手段が閉鎖状態にあると記憶されているときの、前記計数手段における計数処理の有無を判定する判定手段と、を備え、
前記判定手段の判定結果に基づいて所定の処理が行われること特徴とする遊技媒体計数装置。
【請求項２】
前記計数手段による計数結果を所定の記録媒体に記録して発行する記録媒体発行手段を備え、
前記記録媒体発行手段が、
前記判定手段により、前記閉鎖手段が閉鎖状態にあると前記状態記憶手段に記憶されているときの前記計数手段による計数処理が有りと判定されると、前記記録媒体に所定の情報を記録して発行する請求項１記載の遊技媒体計数装置。
【請求項３】
所定の遊技者情報を示す識別媒体を受け入れるとともに、前記計数手段による計数結果を、前記識別媒体が示す遊技者情報と関連付けて外部の装置に送信する計数結果送信手段を備え、
前記計数結果送信手段が、
前記判定手段により、前記閉鎖手段が閉鎖状態にあると前記状態記憶手段に記憶されているときの前記計数手段による計数処理が有りと判定されると、前記識別媒体の受け入れを行わない請求項１又は２記載の遊技媒体計数装置。
【請求項４】
所定の遊技者情報を示す識別媒体を受け入れるとともに、前記計数手段による計数結果を、前記識別媒体が示す遊技者情報と関連付けて外部の装置に送信する計数結果送信手段を備え、
前記計数結果送信手段が、
前記判定手段により、前記閉鎖手段が閉鎖状態にあると前記状態記憶手段に記憶されているときの前記計数手段による計数処理が有りと判定されると、当該計数結果の前記外部の装置への送信を行わない請求項１又は２記載の遊技媒体計数装置。
【請求項５】
所定の遊技者情報を示す識別媒体を受け入れるとともに、前記計数手段による計数結果を、前記識別媒体が示す遊技者情報と関連付けて外部の装置に送信する計数結果送信手段を備え、
前記判定手段により、前記閉鎖手段が閉鎖状態にあると前記状態記憶手段に記憶されているときの前記計数手段による計数処理が有りと判定されると、
前記計数結果送信手段が、
前記識別媒体の受け入れ又は当該計数結果の前記外部の装置への送信を行わず、
前記記録媒体発行手段が、
所定の発行操作に応じて、当該計数結果及び前記所定の情報を記録して前記記憶媒体を発行する請求項２記載の遊技媒体計数装置。
【請求項６】
前記閉鎖手段が閉鎖状態にあるときに、前記計数手段に計数させる遊技媒体を投入可能な遊技媒体投入部を備える請求項１乃至５のいずれか一項記載の遊技媒体計数装置。
【請求項７】
前記遊技媒体投入部が、
前記閉鎖手段により形成される、当該閉鎖手段が閉鎖状態にあるときに、前記遊技媒体投入口に遊技媒体を投入可能な開口部からなる請求項６記載の遊技媒体計数装置。
【請求項８】
前記計数手段による計数結果を所定の記録媒体に記録して発行する記録媒体発行手段を備え、
前記記録媒体発行手段が、
前記判定手段により、前記閉鎖手段が閉鎖状態にあると前記状態記憶手段に記憶されているときの、前記遊技媒体投入部から投入された遊技媒体の前記計数手段による計数処理が有りと判定されると、前記記録媒体に所定の情報を記録して発行する請求項５又は６記載の遊技媒体計数装置。
【発明の詳細な説明】
【技術分野】
【０００１】
本発明は、遊技媒体を計数する遊技媒体計数装置に関し、特に、遊技媒体の投入口に備えられるシャッターが閉鎖されている状態中に行われた計数処理の有無を判定して、その判定結果に応じて所定の処理を実行する遊技媒体計数装置に関する。
【背景技術】
【０００２】
一般に、パチンコ機やスロットマシンなどの遊技機が設置されるホールには、遊技者が獲得した遊技球等の遊技媒体を計数する遊技媒体計数装置が備えられている。
この種の遊技媒体計数装置では、例えば、計数対象として遊技球（所謂パチンコ玉）を計数する計数装置の場合、すり鉢状に形成されたホッパーに投入された遊技球がホッパー底面の投入口から装置内部に順次流入し、装置内の流路（レーン）によって所定の計数手段（例えば、近接センサ）へ導かれて計数される。計数された結果は、紙製のチケット（レシート）や、磁気カード，ＩＣカード，ＩＣコインなど、所定の記録媒体に記録されて遊技者に発行・提供される。
【０００３】
このような遊技媒体計数装置では、遊技媒体の投入口を開放／閉鎖するシャッターが設けられるものがある。投入口にシャッターを設けることで、遊技媒体の投入口内への投入・流入をシャッターの開閉によって規制することができる。
このため、シャッターの開放／閉鎖の制御を、遊技場側の従業員等の管理・立ち会いの下で行うことで、遊技者が勝手に計数装置を操作して計数処理を行うことができなくなり、計数装置に対する不正や、不適切な操作による故障等のトラブルの発生を未然に防止することができるようになる。
この種の投入口にシャッターが備えられる遊技媒体計数装置としては、例えば特許文献１に記載されているものがある。
【先行技術文献】
【特許文献】
【０００４】
【特許文献１】特開２００１−０８７５２６号公報
【発明の概要】
【発明が解決しようとする課題】
【０００５】
しかしながら、特許文献１に記載されているものを含めて、投入口を閉鎖するシャッターを備えた従来の遊技媒体計数装置では、閉鎖状態にあるシャッターを無理矢理にこじ開けられた場合についての考慮がなされていなかった。
このため、遊技者が、従業員等の立ち会いのないまま、閉鎖状態にあるシャッターをこじ開けて投入口へ遊技媒体を投入した場合、そのような遊技媒体の無断投入に基づいて、不適切な計数処理や装置に対する不正行為が行われてしまう可能性があった。
また、従業員等の立ち会いのない状態で計数処理が行われても、遊技場側ではそのことを検出・発見するようなことが困難であった。
【０００６】
本発明は、このような問題を解決するためになされたもので、従業員等の立ち会いのない状態で行われた計数処理を検出することができる遊技媒体計数装置を提供することを目的とする。
【課題を解決するための手段】
【０００７】
上記目的を達成するため、本発明の遊技媒体計数装置は、遊技媒体を計数する計数手段と、計数手段において計数される遊技媒体が投入される遊技媒体投入口と、遊技媒体投入口を閉鎖する閉鎖状態と、当該遊技媒体投入口を開放する開放状態とに変位される閉鎖手段と、閉鎖手段が閉鎖状態にあるか否かを記憶する状態記憶手段と、状態記憶手段に前記閉鎖手段が閉鎖状態にあると記憶されているときの、計数手段における計数処理の有無を判定する判定手段と、を備え、判定手段の判定結果に基づいて所定の処理が行われる構成としてある。
【発明の効果】
【０００８】
本発明によれば、従業員等の立ち会いのない状態で行われた計数処理を検出することができる。
【図面の簡単な説明】
【０００９】
【図１】本発明の一実施形態に係る遊技媒体計数装置の外観を概略的に示す斜視図である。
【図２】本発明の一実施形態に係る遊技媒体計数装置の制御構成を示すブロック図である。
【図３】本発明の一実施形態に係る遊技媒体計数装置で発行されるチケットを示す正面図であり、（ａ）は通常の計数処理により発行されるチケット、（ｂ）はシャッターの閉鎖状態において行われた計数処理により発行されるチケットを示している。
【図４】本発明の一実施形態に係るシャッターに開口部を備えた遊技媒体計数装置で発行されるチケットを示す正面図であり、（ａ）は通常の計数処理により発行されるチケット、（ｂ）はシャッターの閉鎖状態において開口部を介して投入された遊技媒体について行われた計数処理により発行されるチケットを示している。
【図５】本発明の一実施形態に係るシャッターに開口部を備えた遊技媒体計数装置で発行されるチケットを示す正面図であり、（ａ）は通常の計数処理により発行されるチケット、（ｂ）は従業員等の立ち会いがない状態で、遊技者の操作等によってシャッターが開放状態にされて少量の計数処理が行われた場合に発行されるチケットを示している。
【図６】本発明の一実施形態に係る遊技媒体計数装置のシャッターの開閉動作を示す平面図であり、（ａ）はシャッターの閉鎖状態を示す図、（ｂ）はシャッターの開放状態を示す図である。
【図７】本発明の一実施形態に係る遊技媒体計数装置の、開口部を備えたシャッターを示す平面図であり、（ａ）はシャッターの装置正面側の縁部に形成された切り欠き状の開口部を備えたシャッター、（ｂ）はシャッターのほぼ中央部に穿設された孔状の開口部を備えたシャッター、（ｃ）は従業員等の立ち会いがない場合に遊技者の操作等によって投入口の一部（又は全部）が露出するように駆動・停止されて隙間状の開口部を形成するシャッターをそれぞれ示している。
【図８】本発明の一実施形態に係る遊技媒体計数装置における遊技媒体の計数処理動作を示すフローチャートであり、シャッターが閉鎖状態であるか否かを、遊技媒体の計数が行われたタイミングで判定する場合である。
【図９】本発明の一実施形態に係る遊技媒体計数装置における遊技媒体の計数処理動作を示すフローチャートであり、シャッターが閉鎖状態であるか否かを、計数された遊技媒体のチケット発行又は貯玉操作が行われたタイミングで判定する場合である。
【図１０】本発明の一実施形態に係る遊技媒体計数装置における遊技媒体の計数処理動作を示すフローチャートであり、図８に示す処理動作において、シャッター閉鎖状態において行われた計数処理について貯玉操作が行われると計数値を無効（クリア）にする場合である。
【図１１】本発明の一実施形態に係る遊技媒体計数装置における遊技媒体の計数処理動作を示すフローチャートであり、図９に示す処理動作において、シャッター閉鎖状態において行われた計数処理について貯玉操作が行われると計数値を無効（クリア）にする場合である。
【図１２】本発明の一実施形態に係る開口部を有するシャッターを備えた遊技媒体計数装置における遊技媒体の計数処理動作を示すフローチャートであり、シャッターが閉鎖状態であるか否かを、遊技媒体の計数が行われたタイミングで判定する場合である。
【図１３】本発明の一実施形態に係る開口部を有するシャッターを備えた遊技媒体計数装置における遊技媒体の計数処理動作を示すフローチャートであり、シャッターが閉鎖状態であるか否かを、計数された遊技媒体のチケット発行操作が行われたタイミングで判定する場合である。
【発明を実施するための形態】
【００１０】
以下、本発明に係る遊技媒体計数装置の好ましい実施形態について、各図を参照して説明する。
［計数装置］
図１は、本発明の一実施形態に係る計数装置１０の外観を概略的に示す斜視図である。
また、図２は、本実施形態に計数装置１０の制御構成を示すブロック図である。
これらの図に示す本実施形態に係る計数装置１０は、計数対象として遊技球（所謂パチンコ玉）を計数する計数装置であり、本発明に係る遊技媒体計数装置を構成している。
【００１１】
計数装置１０は、例えば複数の遊技機が設置される遊技場において、複数の遊技機を単位とした遊技機島の島端や、景品交換カウンターの近傍など、遊技場の所定の場所に配置される。
なお、図１に示す本実施形態に係る計数装置１０は、設置用の台・テーブル等に据置できる卓上型の計数装置として構成されているが、これを計数装置自体が遊技場の床面に設置される縦置き型の計数装置として構成することもできる。
【００１２】
図１に示すように、本実施形態に係る計数装置１０は、装置上面に開口したすり鉢形状のホッパー４０を備え、ホッパー４０に投入された遊技球が、ホッパー底面に配置された投入口３２（後述する図６参照）に向かって落下・転動し、投入口３２を介して遊技球が装置内に順次投入・流入されるようになる。その後、装置内において複数の流路によって分流・整流されつつ、遊技球を検出する複数のセンサ（計数センサ部２５）へ誘導されて計数されるようになっている。
また、計数装置１０には、所定の駆動手段により駆動されて投入口３２を開放／閉鎖して、計数装置１０内への遊技球の流入を制限・規制するシャッター３１を備えており、遊技場の従業員等の立ち会いの下にシャッター３１が開放されて計数処理が行えるようになっている。
そして、本実施形態の計数装置１０は、シャッター３１が閉鎖状態にある場合や、遊技者の所定操作でシャッター３１が開放されて行われた計数処理が検出・判定できるようになっており、その判定結果に応じて所定の処理を実行されるようになっている。これによって、従業員等の立ち会いのない状態で行われた計数処理を検出できるようになっている。
【００１３】
以下、計数装置１０を構成する各部について、図面を参照しつつ具体的に説明する。
計数装置１０は、装置本体２０と、シャッター部３０と、ホッパー４０とから構成されており、ベースとなる装置本体２０に対して、シャッター部３０及びホッパー４０が、収容・搭載されて一個の計数装置を形成している。
【００１４】
［装置本体］
装置本体２０は、図１に示すように、装置表面側に配置される、表示部２１，チケット発行部２２，チケット発行ボタン（兼貯玉ボタン）２２ａ，カードリーダ部２３，前カバー部２４の各部を備えている。
また、装置本体２０は、図２に示すように、装置内部に、計数センサ部２５，電源部２６，記憶部２７，通信部２８、及び計数装置１０の各部を制御するコンピュータとして構成された制御部２９を備えている。
【００１５】
表示部２１は、図１に示すように、装置本体２０の正面右側に配置され、計数された遊技球の計数値などを表示するとともに、タッチ操作により所定の入力操作が可能な入力部として機能する。
この表示部２１は、例えばタッチパネル機能を備えた液晶表示器等により構成され、計数装置１０における計数処理に必要な各種の表示、例えば、計数された遊技球の計数値，装置の操作案内，エラー情報，各種設定内容等が表示される。
【００１６】
また、本実施形態では、表示部２１に、所定の少額景品（例えばタバコや缶コーヒー，缶ジュース等）を選択させる景品選択画面を表示させ、遊技者に当該画面に表示された少額景品の選択操作を行わせるようになっている。そして、この表示部２１を介して遊技者により所定の景品選択操作が行われると、後述する制御部２９によりシャッター部３０が駆動制御され、投入口３２の一部又は全部が露出するようにシャッター３１を開放状態に駆動・停止制御されるようになる。
従って、その場合には、遊技場の従業員等の立ち会いがない状態においても、遊技者が単独で（少量の）計数処理を実行できることになる。
この景品選択操作に基づく遊技者単独による少量計数処理については、後述する（図１２，１３参照）。
【００１７】
チケット発行部２２は、図１に示すように、装置本体２０の正面右側の表示部２１の情報に配置され、後述する計数センサ部２５により計数された遊技球の計数結果を、所定の記録媒体に記録して発行する部分である。ここで、チケット発行部２２で発行される記録媒体としては、例えば紙製のチケット（レシート）や、磁気カード、ＩＣカード、ＩＣコインなどがある。
本実施形態では、チケット発行部２２は、計数結果を示す記録媒体として、紙製のチケット（レシート）を発行するようになっている（図３〜５参照）。
チケット発行部２２によるチケットの発行は、表示部２１の下側に配置されたチケット発行ボタン２２ａが操作（チケット発行操作）されることで行われる。
このチケット発行ボタン２２ａを含むチケット発行部２２が、本発明に係る記録媒体発行手段を構成している。
【００１８】
また、このチケット発行ボタン２２ａは、後述するように所定の貯玉処理を実行するための貯玉ボタンとしても兼用されるようになっており、カードリーダ部２３に会員カードが挿入された場合には、チケット発行ボタン２２ａが操作されることで、所定の貯玉処理が実行されることになる。
従って、貯玉ボタンとして使用されるチケット発行ボタン２２ａは、後述するカードリーダ部２３及び通信部２８とともに、本発明に係る計数結果送信手段を構成することになる。
【００１９】
そして、本実施形態に係るチケット発行部２２は、後述する制御部２９の判定により、シャッター３１が閉鎖状態であることを示す情報が記憶部２７に記憶されている場合に計数処理が行われたと判定されると、発行する記録媒体（チケット）に、シャッター３１の閉鎖状態において計数された計数結果であることを示す所定の情報を記録して発行するようになっている。
また、チケット発行部２２は、遊技者による景品選択操作が行われてシャッター３１が開放状態にされて、上述した少量計数処理が行われると、そのような少量計数が行われたことを示す所定の情報を記録してチケットを発行するようになっている。
【００２０】
本実施形態では、図３〜５に示すように、チケット発行部２２は、計数結果を示す記録媒体として紙製のチケット（レシート）を発行するようになっており、シャッター３１が閉鎖状態で計数されたと判定された場合には、チケットの券面に所定の表示が印刷表示されるようになっている。
具体的には、図３〜５に示すように、まず、通常の状態、すなわちシャッター３１が開放状態で計数が行われた場合には、チケットの券面には通常の情報のみが印刷表示されるようになっている。
【００２１】
図３〜５に示す例では、チケットの券面には遊技場の店名と計数結果（玉数）を示すバーコード及び数字、計数処理された日時などが印刷表示されるようになっている（図３（ａ），図４（ａ），図５（ａ）参照）。
これに対して、シャッター３１が閉鎖状態にある状態や、遊技者による景品選択操作を経た少量計数が行われた場合には、チケットの券面には、通常のチケットの印刷表示に加えて、シャッター３１の閉鎖状態に計数が行われたことや、遊技者による少量計数が行われたことを示す追加情報がチケットの券面に印刷表示されるようになっている（図３（ｂ），図４（ｂ），図５（ｂ）参照）。
【００２２】
図３（ｂ）に示す例では、図３（ａ）に示す通常時に発行されるチケットに対して、さらに、店名表示と計数結果のバーコード表示との間に、チケット左右方向（水平方向）に延びる帯状の彩色表示と、その帯内に表示される「シャッター閉鎖」の文字が追加印刷されるようになっている。
この図３（ｂ）に示すチケットは、後述する図６に示す、閉鎖状態において遊技球を投入可能な開口部が存在しないシャッター３１を備えた計数装置１０に対応して発行されるものである。従って、この図３（ｂ）に示す追加表示が印刷されてチケットが発行される場合は、従業員等の立ち会いがなく、シャッター３１が閉鎖状態にあると計数装置１０側で認識されている場合に、シャッター３１が何らかの要因、例えば物理的な外力によってこじ開けられて、こじ開けた隙間等から遊技球が投入口３２に投入されて計数処理が行われたことになる。
【００２３】
一方、図４（ｂ）に示す例では、図４（ａ）に示す通常時に発行されるチケットに対して、さらに、店名表示と計数結果のバーコード表示との間に、チケット左右方向（水平方向）に延びる帯状の彩色表示と、その帯内に表示される「シャッター閉鎖／少量計数」の文字が二段書きで追加印刷されるようになっている。
また、図５（ｂ）に示す例では、図５（ａ）に示す通常時に発行されるチケットに対して、さらに、店名表示と計数結果のバーコード表示との間に、チケット左右方向（水平方向）に延びる帯状の彩色表示と、その帯内に表示される「少量計数」の文字が追加印刷されるようになっている。
【００２４】
これら図４（ｂ），図５（ｂ）に示すチケットは、後述する図７に示す、閉鎖状態において遊技球を投入可能な開口部３１ａ〜３１ｃが備えられたシャッター３１を有する計数装置１０に対応して発行されるものである。
このうち、図４（ｂ）に示す追加表示が印刷されてチケットが発行された場合、シャッター３１が閉鎖状態にあると計数装置１０側で認識されている場合に、シャッター３１に備えられた開口部３１ａ，３１ｂを介して、例えばタバコやジュース，缶コーヒーなどの少額景品の交換を目的として、少量の遊技球が投入口３２に投入されて計数処理が行われたことになる。
【００２５】
さらに、図５（ｂ）に示す追加表示が印刷されてチケットが発行される場合は、上記のような少額景品交換を目的とした少量計数を行うために、従業員等の立ち会いがなくても、遊技者が行う所定の景品選択操作（後述する図１２，１３参照）により、投入口３２の一部又は全部が露出するようにシャッター３１を開放状態に駆動・停止制御される場合に（後述する図７（ｃ）の隙間上の開口部３１ｃ参照）、そのような開口部３１ｃを介して少量の遊技球が投入口３２に投入されて計数処理が行われた場合である。この場合、シャッター３１は閉鎖状態ではないが、遊技者が単独で、従業員等の立ち会いがない状態で遊技球の計数処理が行われることになる。そこで、本実施形態では、このような場合に、図５（ｂ）に示すような「少量計数」が行われたことを示す追加表示を印刷させるようにするものである。
【００２６】
このように、本実施形態では、チケット発行部２２が、シャッター３１の閉鎖状態中の計数や、遊技者単独での少量計数が行われたことを示す追加情報がチケットの券面に印刷表示するようになっているので、このチケットが遊技場の景品交換カウンターに提示されることで、当該チケットに係る計数処理が、従業員等の立ち会いがない状態で行われたことが、遊技場側で把握できるようになる。
従って、遊技場では、そのような従業員等の立ち会いがない状態で計数が行われたことの理由や経緯、当該計数処理に起因した計数装置１０の故障や不正等のトラブルの有無などを確認することができる。
【００２７】
なお、チケット発行部２２によって印刷表示可能な、従業員等の立ち会いがない状態で計数が行われたことを示す表示・情報は、図３（ｂ），図４（ｂ），図５（ｂ）に示す例には限られない。
例えば、図３（ｂ），図４（ｂ），図５（ｂ）に示した彩色帯の表示のみ／文字表示のみを印刷・表示することもでき、また、他の形態の彩色表示や文字表示を行うこともできる。
また、チケットの背景に「シャッター閉鎖」や「少量計数」等の文字をすかし表示するようにしても良い。
【００２８】
また、本実施形態では、チケット発行部２２で発行される紙製のチケットに対して、シャッター３１の閉鎖状態中に計数が行われたことを示す所定情報を表示・記録しているが、計数結果を記録した記録媒体が例えばチケット以外の場合にも、従業員等の立ち会いがない状態で計数が行われたことを示す所定情報を記録させることができる。
例えば、記録媒体として磁気カードやＩＣカード、ＩＣコインなどが発行される場合に、遊技球の計数結果とともに、シャッター３１の閉鎖状態中の計数や少量計数が行われたことを示す所定情報を記録・格納することができ、また、発行する磁気カードやＩＣカード、ＩＣコインの表面に所定の表示や彩色を付加・記録することもできる。
【００２９】
カードリーダ部２３は、所定の遊技者情報を示す識別媒体、例えば貯玉会員として登録された遊技者の会員情報（会員ＩＤ）等が記録された会員カード（例えば磁気カード，ＩＣカード等）を受け入れて、当該識別媒体に記録された会員情報（例えば会員を識別・特定する会員ＩＤ）を読み取る読み取り手段である。
このカードリーダ部２３で受け入れられて読み取られた会員情報（本発明に係る遊技者情報）が、計数センサ部２５により計数された遊技球の計数結果と関連付けられ、通信部２８を介して計数装置１０から外部の装置に送信される貯玉処理が実行される。
この貯玉処理は、カードリーダ部２３に会員カードが挿入されて、貯玉ボタンとして兼用されるチケット発行ボタン２２ａが操作されることで、実行される。
このカードリーダ部２３と貯玉ボタンとして兼用されるチケット発行ボタン２２ａ及び後述する通信部２８が、本発明に係る計数結果送信手段を構成している。
【００３０】
ここで、本発明において「外部の装置」としては、例えば遊技場に設置される遊技場管理装置（ホールコンピュータ）や景品交換装置，貯玉サーバ等を構成するコンピュータや、そのための記憶装置などが該当する。また、例えばインターネットを介して接続される遊技場の外部に設置されたサーバ等を外部の装置として使用することもできる。それらが本実施形態に係る外部の装置とすることができる。
この外部の装置に送信される会員情報及びそれに関連付けられた計数結果データが、当該会員の貯玉データとして記憶・管理されるようになる。
これによって、カードリーダ部２３に会員カードを読み込ませた会員登録された遊技者は、計数装置１０で計数処理した遊技球の計数結果を、自己の貯玉として遊技場の管理装置や貯玉サーバに記憶・管理させることができ、次回以降の遊技において、その貯玉データに基づいて遊技球の貸出を受けて遊技を行ったり景品効果を行うことができる。
【００３１】
そして、カードリーダ部２３は、後述する制御部２９の判定により、シャッター３１が閉鎖状態であることを示す情報が記憶部２７に記憶されている場合に計数処理が行われたと判定されると、上述した貯玉処理のための識別媒体となる会員カードの受け入れを行わない、あるいは、上述した貯玉データとなる計数結果の外部の装置への送信を行わないようになっている。
従って、本実施形態では、シャッター３１の閉鎖状態中に計数が行われたと計数装置１０で判定されると、その計数された遊技球については、カードリーダ部２３における貯玉処理が行われないことになる。
さらに、このようにシャッター３１の閉鎖状態中に計数が行われたと計数装置１０で判定され、かつ、貯玉処理が行われなかった場合には、その計数された遊技球については、チケット発行部２２に対する所定の発行操作が行われることで、上述した図３（ｂ）に示すようなチケットを発行させることができる。
【００３２】
シャッター３１の閉鎖状態中に計数が行われたと計数装置１０で判定される場合は、後述する図６に示す、閉鎖状態において遊技球を投入可能な開口部等が存在しないシャッター３１を備えた計数装置１０であれば、従業員等の立ち会いがない状態で、閉鎖状態にあるシャッター３１が何らかの要因、例えば物理的な外力によってこじ開けられて、こじ開けた隙間等から遊技球が投入口３２に投入されて計数処理が行われたことになる。
その場合には、正常な状態での計数処理が行われたものではなく、遊技者へのサービスである貯玉を行わせる必要はないと考えられる。
【００３３】
一方、後述する図７に示す、閉鎖状態において遊技球を投入可能な開口部３１ａ，３１ｂや、遊技者の操作（少額景品の選択操作）によって開放状態に駆動制御される開口部３１ｃが備えられたシャッター３１を有する計数装置１０であれば、シャッター３１に備えられた開口部３１ａ〜３１ｃを介した計数処理は、例えばタバコやジュース，缶コーヒーなどの少額景品の交換を目的として行われたことになる。
その場合には、遊技者は元々少額景品の交換が目的であって、遊技球を貯玉することを予定して計数処理を行ったものではなく、貯玉処理を行う必要はないと考えられる。
【００３４】
このように、シャッター３１の閉鎖状態中に計数が行われたと計数装置１０で判定された場合と、遊技者の操作による少量計数が行われた場合の、いずれの場合であっても、計数された遊技球を貯玉処理する必要性は低く、むしろ貯玉を行わせずに、上述した図３（ｂ），図４（ｂ），図５（ｂ）に示すようなチケットを発行させて、遊技場側でそのようなシャッター３１の閉鎖状態中に行われた計数や遊技者単独による少量計数が行われたことを確実に認識・把握できるようにすることが好ましい。
そこで、本実施形態では、シャッター３１の閉鎖状態中に計数が行われたと計数装置１０で判定された場合には、まず、貯玉処理の要求があった場合には、会員カードの受け入れを行わず、あるいは、貯玉データとなるべき計数結果の外部の装置への送信を行わないようにする。
また、遊技者の景品選択操作に基づく少量計数が行われた場合には、貯玉処理の受け付け（会員カードの受け入れ）自体を行わせないようにする。
【００３５】
さらに、シャッター３１の閉鎖状態中に行われた計数の結果に貯玉処理の要求があった場合には、貯玉処理を拒否するとともに、所定の発行操作が行われることで、チケット発行部２２から、所定情報を記録・表示したチケットが発行されるようにする。
これによって、遊技場側では、本来行われるべきでない計数に基づく貯玉処理や、必要のない貯玉処理が行われることを確実に防止でき、かつ、シャッター３１の閉鎖状態中に計数が行われたことを示す情報が表示されたチケットによって、そのような計数処理が行われたことを確実に把握できるようになる。
【００３６】
なお、本実施形態において、シャッター３１の閉鎖状態中に計数が行われたと計数装置１０で判定された場合に、「会員カード（識別媒体）の受け入れを行わない」とは、遊技者が会員カードをカードリーダ部２３に挿入した場合に、その会員カードがカードリーダ部２３から直ちに排出される場合や、カードリーダ部２３のカード挿入部が閉鎖されて会員カードの挿入自体が行えない場合の双方が含まれる。
また、シャッター３１の閉鎖状態中に計数が行われたと計数装置１０で判定された場合に、「計数結果の外部の装置への送信を行わない」とは、カードリーダ部２３に会員カードが挿入されると、その会員カードの読み取りが行われ会員情報の識別・特定が行われた状態で、特定された当該会員に対する貯玉処理を行わせないために、貯玉データとなるべき計数結果の送信を行わない場合である。
【００３７】
そして、このようにシャッター３１の閉鎖状態中における計数結果について、貯玉処理の要求があった場合には、上述したチケットの発行処理も行わせずに、計数データを無効（クリア）にすることもできる。
上述したように、シャッター３１の閉鎖状態中に計数が行われた場合には、計数された遊技球を貯玉処理する必要性は低く、遊技場側でそのようなシャッター３１の閉鎖状態中に計数が行われたことが認識・把握できれば十分であると考えられる。
特に、シャッター３１を無理矢理にこじ開けて計数を行ったと考えられる場合には、会員カードの識別情報が読み取られて、当該計数を行った会員情報が特定できれば、チケットを発行させずに計数結果を無効（クリア）にすることが好ましい。そこで、そのような場合には、シャッター３１の閉鎖状態中に行われた計数結果については、無効（クリア）にすることができる（後述する図１０，１０参照）。
【００３８】
前カバー部２４は、これら表示部２１，チケット発行部２２，チケット発行ボタン２２ａ，カードリーダ部２３を覆うように開閉可能な前カバー部２４等を備えている。
前カバー部２４は、遊技場の従業員（店員）等が所持している鍵によって開錠され、前カバー部２４が開放されることで、装置本体２０の内部へのアクセスが可能となり、メンテナンスや故障の修理等が行えるようになっている。
【００３９】
計数センサ部２５は、装置本体２０の内部に配置され、投入口３２（図６，６参照）を介して複数の各流路から流下する遊技球を検出する例えば各流路に対応して設けられた複数の近接センサからなるセンサ手段を備えている。
各近接センサからの検出信号が制御部２９に入力され、制御部２９によって、この入力回数が計数され、遊技球の計数値として算出される。
そして、この計数センサ部２５での計数結果が、上述したチケット発行部２２によるチケットに記録・表示され、また、カードリーダ部２３で識別された会員情報と関連付けられて外部の装置に送信されて貯玉データとして記憶・管理されることになる。
この計数センサ部２５が、本発明に係る計数手段を構成している。
【００４０】
電源部２６は、所定の交流電源から機内各部に適した電源を生成・供給する。
記憶部２７は、計数値や各種設定値，シャッターの閉鎖／開放状態等の各種情報・データを記憶する。
具体的には、記憶部２７は、計数装置１０が備える各種機能を実行するためのプログラムやデータ、計数センサ部２５からの検出信号に基づき計数された計数値、計数時刻（計数更新時刻）等を記憶する記憶手段である。
この記憶部２７は、例えば後述する制御部２９を構成するＲＡＭや、制御部２９に接続されるＥＥＰＲＯＭやフラッシュメモリ等の不揮発性メモリ等の記憶手段により構成される。
そして、本実施形態では、この記憶部２７の例えばＲＡＭに、シャッター３１が閉鎖状態にあるか否かの状態情報が記憶されるようになっており、この記憶部２７に記憶される状態情報が参照されて、シャッター３１が閉鎖状態にある場合に計数処理が行われたことが検出・判定されるようになっている。
この記憶部２７が、本発明に係る状態記憶手段を構成している。
【００４１】
通信部２８は、外部の装置、例えば遊技場内に設置される遊技場管理装置（ホールコンピュータ）や景品交換装置，貯玉サーバ等と通信を行う通信手段である。
そして、この通信部２８を介して、上述したカードリーダ部２３で受け入れられて読み取られた会員情報と、計数センサ部２５により計数された遊技球の計数結果とが関連付けられて、計数装置１０から外部の装置に送信される。
これによって、計数装置１０で計数された遊技球の計数結果が、貯玉データとして外部の装置において記憶・管理されるようになる。
この通信部２８が、上述したカードリーダ部２３と貯玉ボタンとして兼用されるチケット発行ボタン２２ａとともに、本発明に係る計数結果送信手段を構成している。
【００４２】
制御部２９は、上述した計数装置１０の各部を制御するコンピュータとして構成された制御手段である。
具体的には、制御部２９は、ＣＰＵ（中央演算処理装置）や、各部を制御するプログラムとデータが記録されたＲＯＭ、ワーク領域となるＲＡＭ、上記各部とＣＰＵとを接続するＩ／Ｏポートなどで構成され、ＲＯＭに記録されたプログラムが実行されることで、計数装置１０の各部が制御されるようになっている。
この制御部２９の制御により、計数センサ部２５からの計数結果を示す信号が出力され、遊技球を計数する装置として動作するようになっている。
【００４３】
そして、この制御部２９の制御により、後述するシャッター駆動部３４が制御されてシャッター３１が開閉動作されるようになっている。
制御部２９は、まず、計数装置１０の電源投入時における初期化動作に含まれるシャッター３１の開閉動作を制御する。
具体的には、制御部２９は、計数装置１０の電源投入時における初期化動作において、シャッター３１の開閉動作を行わせ、シャッター３１を閉鎖状態に駆動制御する。シャッター３１が閉鎖状態に制御されると、後述する閉鎖状態検出部３６によってシャッター３１が閉鎖状態にあることが検出され、シャッター３１が閉鎖状態にあることが記憶部２７に記憶される。
【００４４】
その後は、遊技場の従業員による所定の入力操作（例えば前カバー部２４の開放操作など）に基づいて、シャッター３１の開閉動作が行なわれると、制御部２９は、シャッター３１の開閉動作を行わせ、シャッター３１を開放状態に駆動制御する。シャッター３１が開放状態に制御されると、後述する開放状態検出部３５によってシャッター３１が開放状態にあることが検出され、シャッター３１が開放状態にあることが記憶部２７に記憶される。
シャッター３１の開放状態においては、ホッパー４０に投入された遊技球が投入口３２を介して装置本体２０の内部に落下・流入し、計数センサ部２５によって計数処理が行われる。
計数の終了後は、遊技場の従業員による所定の入力操作（例えば前カバー部２４の開放操作など）に基づいて、シャッター３１の開閉動作が行なわれると、制御部２９は、シャッター３１の開閉動作を行わせ、再びシャッター３１を閉鎖状態に駆動制御され、シャッター３１が閉鎖状態にあることが記憶部２７に記憶される。
【００４５】
そして、制御部２９は、シャッター３１が閉鎖状態であることを示す情報が記憶部２７に記憶されている状態において、計数センサ部２５における計数処理が行われたか否かを検出・判定するようになっている。
具体的には、制御部２９は、所定のタイミングにおいて記憶部２７の記憶データを参照することにより、シャッター３１が閉鎖状態であることを示す情報が記憶部２７に記憶されているか否かを検出・判定する。
【００４６】
例えば、制御部２９は、計数センサ部２５からの遊技球の検出信号が出力されたタイミングで、記憶部２７の記憶データを参照することができる。
また、制御部２９は、チケット発行部２２におけるチケット発行ボタン２２ａの操作が行われたタイミングで、記憶部２７の記憶データを参照することができる。
また、制御部２９は、カードリーダ部２３に会員カードが挿入されたタイミングで、記憶部２７の記憶データを参照することができる。
【００４７】
そして、制御部２９は、そのような参照タイミングにおいて、記憶部２７にシャッター３１が閉鎖状態であることを示す情報が記憶されている場合には、シャッター３１の閉鎖状態において計数処理が実行されたと判定する。
この制御部２９の判定結果に基づいて、上述した所定情報を記録したチケット（図３（ｂ），図４（ｂ），図５（ｂ）参照）の発行や、会員カードの受け入れ拒否や貯玉データの送信拒否の処理が実行されることになる。
この制御部２９が、本発明に係る判定手段を構成することになる。
【００４８】
さらに、制御部２９は、上述した遊技者の景品選択操作が行われた場合には、シャッター３１を開放状態に駆動制御する。これによって、遊技者は、従業員等の立ち会いがない状態で、投入口３２に遊技球を投入して計数処理を行わせ、所望の少額景品に交換するための少量計数を行うことができるようになる。
そして、制御部２９は、そのような少量計数が行われると、その旨を示す所定情報を記録したチケット（図３（ｂ），図４（ｂ），図５（ｂ）参照）を発行させるようになっている。
【００４９】
［シャッター部］
以上のような装置本体２０の内部には、シャッター部３０が配設される。
シャッター部３０は、図１に示したシャッター３１を備えるとともに、図２に示すシャッター３１を開閉させるシャッター駆動部３４，シャッターの開放状態を検出する開放状態検出部３５，シャッターの閉鎖状態を検出する閉鎖状態検出部３６の各部を備えている。
図６に、本実施形態に係るシャッター部３０の物理的な構成を模式的に示す。
【００５０】
図６は、シャッター部３０を装置上方から見た平面図であり、（ａ）はシャッター３１の閉鎖状態、（ｂ）は開放状態を示している。
同図に示すように、シャッター部３０は、箱状に形成され、可動体であるシャッター３１と、このシャッター３１の両側部に水平に延設させたガイドレール３３を備えている。そして、シャッター３１が、ガイドレール３３上をスライド移動することで、装置正面側に配置された投入口３２が開閉されるように構成されている。
【００５１】
投入口３２は、ホッパー４０の底面に形成された連通口と連通し、装置本体２０の内部の流路に遊技球を落下・流入させる。すなわち、シャッター部３０は、図６（ｂ）に示すように、シャッター３１が開放状態では、流入する遊技球を装置内の流路に誘導するように動作するとともに、図６（ａ）に示すように、シャッター３１が閉鎖状態では、流路への遊技球の誘導を妨げるように動作する。
また、シャッター部３０は、図２に示すように、シャッター駆動部３４と、開放状態検出部３５、閉鎖状態検出部３６を備えている。
【００５２】
シャッター駆動部３４は、シャッター３１を開閉動作させる駆動手段の一例であり、本実施形態では、図６に示すように、モータ３４１と、モータ３４１の回転駆動によって周回するベルト３４２と、これらを連動させる駆動ローラーとしてのプーリー３４３と、雄ねじを設けたねじ付きシャフト３４４と、この雄ねじと係合する雌ねじ３４５とを備えた構成となっている。
ベルト３４２は、モータ３４１の軸に巻回されるとともにプーリー３４３と連結され、プーリー３４３は、ねじ付きシャフト３４４と連結されている。また、雌ねじ３４５は、シャッター３１の裏面に固定されている。
【００５３】
このような構成により、モータ３４１を動力とし、モータ３４１が回転駆動すると、プーリー３４３がベルト３４２を介して回転され、プーリー３４３の回転によりねじ付きシャフト３４４が、雌ねじ３４５を介してシャッター３１を開閉方向に移動させることができる。
そして、シャッター３１は、上述したように、制御部２９によってシャッター駆動部３４が駆動制御されて、初期動作で閉鎖状態になるように駆動制御され、遊技場の従業員等の操作によって、開放状態に駆動制御されるようになっている。
また、遊技者による景品選択操作が行われた場合にも、制御部２９の制御により、シャッター駆動部３４が駆動制御され、シャッター３１は開放状態に駆動制御されるようになる。
【００５４】
開放状態検出部３５及び閉鎖状態検出部３６は、シャッター３１の開放状態／閉鎖状態を検出する検出手段である。
本実施形態では、この開放状態検出部３５／閉鎖状態検出部３６は、例えばフォトインタラプタで構成され、シャッター３１の開放状態又は閉鎖状態（開放位置／閉鎖位置）を検出するようになっている。
具体的には、開放状態検出部３５は、シャッター３１が装置背面側（図面下側）に移動して、投入口３２が開放された状態（図６（ｂ）の状態）となったことを検出し、閉鎖状態検出部３６は、シャッター３１が装置正面側（図面上側）に移動して、投入口３２が閉鎖された状態（図６（ａ）の状態）となったことを検出する。
【００５５】
そして、開放状態検出部３５と閉鎖状態検出部３６は、開閉鎖状態を検出した場合には、制御部２９に検出信号を出力する。
制御部２９はこの開放状態検出部３５／閉鎖状態検出部３６からの検出信号に基づき、シャッター３１の開放状態／閉鎖状態を示す情報（例えばフラグ等）を、記録部２７に記憶させる。
これによって、制御部２９は、上述したような所定のタイミングで、記録部２７の情報を参照することにより、シャッター３１の開放状態／閉鎖状態を検出・判定することができ、シャッター３１が閉鎖状態であるときに計数処理が実行されたか否かを判定することができる。これによって、従業員等の立ち会いのない状態で行われた計数処理を検出することができる。
そして、この制御部２９の判定結果に基づいて、上述した所定情報を記録したチケット（図３（ｂ），図４（ｂ），図５（ｂ）参照）の発行や、会員カードの受け入れ拒否や貯玉データの送信拒否の処理が実行できるようになる。
【００５６】
なお、開放状態検出部３５／閉鎖状態検出部３６からの検出信号に基づいて、記録部２７に記憶させる情報としては、例えば、シャッター３１の開放状態を示す開放フラグ、閉鎖状態を示す閉鎖フラグなどがある。また、このような開放フラグ，閉鎖フラグは、双方を記憶部２７に記憶させることもでき、いずれか一方のみを記憶させることもできる。
開放／閉鎖フラグのいずれか一方のみを記憶させる場合でも、そのフラグが記憶されていれば開放（又は閉鎖）、記憶されていなければ閉鎖（又は開放）、という判定が可能であり、シャッター３１の閉鎖状態を検出・判定することができるからである。従って、本発明においては、少なくともシャッターが閉鎖状態であることが検出・判定できれば、どのような構成・手段であっても良い。
【００５７】
また、以上のようなシャッター部３０に備えられるシャッター３１は、閉鎖状態にあるときに、計数センサ部２５に計数させる遊技球を投入可能な投入部を備えることができる。この投入部が、本発明に係る遊技媒体投入部を構成する。
例えば、図６に示したシャッター３１に対して、当該シャッター３１が閉鎖状態（図６（ａ）に示す状態）にあるときに、投入口３２に遊技球を投入可能な開口部を設けることができる。
【００５８】
このような開口部の一例を図７に示す。
図７は、本実施形態に係る開口部を備えたシャッター３１を示す平面図であり、同図（ａ）は、シャッター３１が閉鎖状態にあるときに、シャッター３１の装置正面側の縁部に形成された切り欠き状の開口部３１ａを備える場合である。
また、同図（ｂ）は、シャッター３１のほぼ中央部に穿設された孔状の開口部３１ｂを備える場合である。
また、同図（ｃ）は、シャッター３１が閉鎖状態において、従業員等の立ち会いがない場合に遊技者の所定の操作（景品選択操作）によって投入口３２の一部（又は全部）が露出するように駆動・停止されて隙間状の開口部３１ｃを形成する場合である。
【００５９】
このような図７に示すような開口部３１ａ〜３１ｃを備える場合、シャッター３１が閉鎖状態にある場合でも、開口部３１ａ，３２ｂを介して、遊技球を投入口３２に投入・流下させることでき、その結果、計数センサ部２５により計数を行わせることができるようになる。
また、遊技者の操作（景品選択操作）により、投入口３２の一部又は全部が露出するようにシャッター３１を開放状態に駆動・停止制御される開口部３１ｃを備える場合には、従業員等の立ち会いがなくても、遊技者単独で、（少量の）遊技球を投入口３２に投入させて計数処理を行わせることができる。
そして、このような開口部３１ａ〜３１ｃを介して遊技球が投入され、上述した制御部２９の判定によりシャッター３１が閉鎖状態であることを示す情報が記憶部２７に記憶されている場合に計数処理が行われたと判定されたり、遊技者の所定の景品選択操作を経て計数処理が行われた場合には、チケット発行部２２が、発行するチケットに、シャッター３１の閉鎖状態等において従業員等の立ち会いがない状態で計数された計数結果であることを示す所定の情報を記録して発行するようになっている（図３（ｂ），図４（ｂ），図５（ｂ）参照）。
この場合、特に図４（ｂ）及び図５（ｂ）に示すように、開口部３１ａ〜３１ｃを介した「少量計数」が行われたことを示す情報を表示・印刷したチケットを発行することが好ましい。
【００６０】
投入口３２を閉鎖するシャッター３１を設けるのは、遊技場の従業員等の立ち会いがないままに遊技者単独で大量の遊技球が計数処理される場合の故障や不正等のトラブルを防止することが主たる目的である。従って、少量の遊技球を計数する場合であれば、遊技場の従業員等の許可・立ち会いがなくても、遊技者が単独で計数処理を行っても不足のトラブルが発生する可能性は少ない。
また、遊技の結果、少量の遊技球しか獲得できず、貯玉処理をするまでもなく、せいぜい少額景品（例えばタバコやジュース，缶コーヒーなど）と交換できる程度の量の遊技球しかない場合に、遊技者としては簡便に計数処理を済ませて少額景品との交換を行いたい場合がある。
【００６１】
そのような場合に、いちいち従業員を呼び出して、閉鎖状態にあるシャッター３１を開放させて計数処理を行うのは、遊技者にとって煩わしく、また、少量の遊技球の計数処理を恥ずかしく感じる場合もある。
また、遊技場側にとっても、少量の遊技球の計数処理であれば、その都度従業員が呼び出されるよりも、遊技者単独で計数処理を行わせる方が業務効率等の観点から好ましい。
但し、そのような少量計数であっても、遊技場がまったく認識・把握していないことは、遊技場経営やセキュリティ向上等の観点から好ましいことではない。
【００６２】
そこで、本実施形態では、上記のような少量の遊技球の計数処理についての実態や要望・要請に対応して、シャッター３１に開口部３１ａ〜３１ｃを設けて、遊技者単独での計数処理を行わせるようにするとともに、そのような遊技者単独の計数処理が行われたことを遊技場側で確認・把握できるように、計数結果を記録したチケットに、そのような遊技者単独の少量計数が行われたことを示す所定の表示を行わせるようにしている。
これによって、遊技者は、例えばタバコやジュース，缶コーヒーなどの少額景品の交換を目的とした少量の遊技球の計数処理は、シャッター３１に設けられた開口部３１ａ〜３１ｃを介して、従業員等の許可・立ち会いを必要とすることなく単独で行うことができるようになる。
一方、遊技場側では、そのような開口部３１ａ〜３１ｃを介して遊技者単独で計数処理が行われたことを、所定の情報が記録されたチケットによって確認することができ、計数装置１０や計数結果などに不都合や不審な点があれば、そのチケットに基づいて、計数処理を行った遊技者に確認することができるようになる。
【００６３】
なお、以上のような開口部３１ａ〜３１ｃを有するシャッター３１を備えた計数装置１０においては、開口部３１ａ〜３１ｃを介した少量計数を行う場合に、遊技者に所定の操作（景品選択操作）を行わせた上で、計数処理を実行できるようにすることができる（後述する図１２，１２参照）。
例えば、装置本体２０の上述した表示部２１に、所定の少額景品（例えばタバコや缶コーヒー，缶ジュース等）を選択させる景品選択画面を表示させ、当該画面に表示された少額景品の選択操作が行われた場合には、開口部３１ａ〜３１ｃから投入された遊技球の計数処理を許容・実行させるようにすることができる。
特に、図７（ｃ）に示す開口図３１ｃの場合には、遊技者の景品選択操作により、投入口３２の一部又は全部が露出するようにシャッター３１を開放状態に駆動・停止制御させるようにする。
このようにすると、少額景品との関連でのみ、開口部３１ａ〜３１ｃを介した遊技者単独での計数処理を実行させることができ、開口部３１ａ〜３１ｃを介して無制限な計数処理が実行されることを防止することができる。
【００６４】
［計数処理動作］
次に、以上のような構成からなる本実施形態に係る計数装置１０における遊技球の計数処理動作について、図８〜１３を参照して説明する。
本実施形態に係る計数処理は、上述の通り、シャッター３１が閉鎖状態であると記憶されている状態で行われた計数処理を検出・判定し、その判定結果に応じて所定の処理を実行／不実行とすることを特徴としている。
そのような特徴点に鑑み、計数装置１０の計数処理動作として、シャッター３１が閉鎖状態か否かを参照・判定するタイミングに応じて、また、シャッター３１が閉鎖状態の場合に計数処理が行われたときにその後にどのような処理を実行／不実行とするかに応じて、以下のような６つの実施形態を説明する。
【００６５】
［計数処理時に閉鎖状態判定］
図８は、本実施形態に係る計数装置１０における計数処理動作を示すフローチャートであり、シャッター３１が閉鎖状態であるか否かを、遊技球の計数が行われたタイミングで判定する場合である。
図８に示す計数処理１００は、まず、シャッター３１が開放状態であるか否か、具体的には、遊技場側の店員（従業員）によるシャッター３１の開放操作が行われたか否かによって大別される（Ｓ１０１）。
【００６６】
店員によるシャッター３１の開放操作が行われていない場合に（Ｓ１０１：Ｎｏ）、制御部２９により計数センサ部２５からの計数信号が検出されて計数処理が「有り」と判定されると（Ｓ１０２：Ｙｅｓ）、制御部２９は、記憶部２７を構成するＲＡＭにシャッター３１が閉鎖状態であることを示す情報が記憶されているか否かを参照する（Ｓ１０３）。
記憶部２７にシャッター３１が閉鎖状態であることを示す情報が記憶されている場合には（Ｓ１０３：Ｙｅｓ）、制御部２９は、チケット発行部２２に所定の追加表示を印刷させるために「シャッター閉フラグＯＮ」にする（Ｓ１０４）。
【００６７】
その後、制御部２９により、カードリーダ部２３への会員カードが挿入（受付）されたか否かが判定され（Ｓ１０５）、会員カードの挿入（受付）が行われていない場合（Ｓ１０５：Ｎｏ）、チケット発行部２２に対するチケット発行操作（チケット発行ボタン２２ａの操作）が行われるまで待機される（Ｓ１０６）。
チケット発行操作が行われると（Ｓ１０６：Ｙｅｓ）、制御部２９は、上記シャッター閉フラグ（Ｓ１０４）に基づいて、シャッター３１が閉鎖状態において計数処理が行われたことを示す所定情報が記録・印刷されたチケット（シャッター閉チケット：図３（ｂ）参照）をチケット発行部２２に発行させる（Ｓ１０７）。
その後、制御部２９は、シャッター閉フラグがＯＮの場合には（Ｓ１０８：Ｙｅｓ）、そのシャッター閉フラグをＯＦＦにして（Ｓ１０９）、計数処理は終了となる。
【００６８】
一方、上記Ｓ１０５において、カードリーダ部２３への会員カードの挿入（受付）が行われている場合には（Ｓ１０５：Ｙｅｓ）、制御部２９は、カードリーダ部２３に、挿入された会員カードの受け入れを行わせず、会員カードを排出させる（Ｓ１１０）。
これによって、シャッター３１が閉鎖状態において計数処理された遊技球が会員カードと関連付けられて貯玉処理されることが防止・排除される。
会員カードが排出された場合には、上記Ｓ１０６においてチケット発行操作が行われるまで待機され、チケット発行操作が行われると（Ｓ１０６：Ｙｅｓ）、上述の通り、制御部２９は、チケット発行部２２に所定情報が記録・印刷されたチケット（シャッター閉チケット：図３（ｂ）参照）を発行させて、計数処理が終了する（Ｓ１０７〜１０９）。
このようにして、シャッター３１が閉鎖状態において計数処理された遊技球については、会員カードによる貯玉処理を行おうとしても処理は行われず、かつ、必ずシャッター閉チケットが発行されることになるので、遊技場側ではそのチケットを確認することで、そのようなシャッター３１が閉鎖状態における計数処理が行われたことを、確実に把握・確認することができるようになる。
【００６９】
一方、上記Ｓ１０３において、記憶部２７にシャッター３１が閉鎖状態であることを示す情報が記憶されていないと判定された場合には（Ｓ１０３：Ｎｏ）、このタイミングまでに、店員によるシャッター３１の開放操作が行われたことになり、通常（正規）のチケット発行／貯玉処理が行われる（Ｓ１１３〜１１８）。
まず、カードリーダ部２３への会員カードの挿入・受付がされたか否かが判定され（Ｓ１１３）、会員カードの挿入（受付）が行われていない場合には（Ｓ１１３：Ｎｏ）、チケット発行部２２に対するチケット発行操作（チケット発行ボタン２２ａの操作）が行われることにより（Ｓ１１４：Ｙｅｓ）、通常（正規）のチケット（図３（ａ）参照）が、チケット発行部２２により発行され（Ｓ１１５）、計数処理は終了する。
また、会員カードの挿入（受付）が行われた場合には（Ｓ１１３：Ｙｅｓ）、所定の貯玉操作（チケット発行ボタン２２ａの操作）が行われることにより（Ｓ１１６：Ｙｅｓ）、制御部２９により、通常（正規）の貯玉処理が実行され（Ｓ１１７）、その後、会員カードが遊技者に排出・返却されて（Ｓ１１８）、計数処理は終了する。
【００７０】
また、上記Ｓ１０１において、シャッター３１が開放状態であると判定された場合、すなわち、遊技場側の店員によるシャッター３１の開放操作が行われた場合（Ｓ１０１：Ｙｅｓ）には、通常（正規）の計数処理と、それに伴うチケット発行／貯玉処理が行われる（Ｓ１１９〜１２８）。
まず、店員の操作によりシャッター３１が開放状態に駆動されると（Ｓ１１９）、計数処理が行われること、具体的には、遊技球が投入口３２に投入されて計数センサ部２５で計数が行われることが待機され（Ｓ１２０）、計数が行われると、次に、カードリーダ部２３への会員カードの挿入・受付がされたか否かが判定される（Ｓ１２１）。
【００７１】
会員カードの挿入（受付）が行われていない場合には（Ｓ１２１：Ｎｏ）、チケット発行部２２に対するチケット発行操作（チケット発行ボタン２２ａの操作）が行われることにより（Ｓ１２２：Ｙｅｓ）、通常（正規）のチケット（図３（ａ）参照）が、チケット発行部２２により発行され（Ｓ１２３）、その後、シャッター３１が閉鎖状態に駆動されて（Ｓ１２４）、計数処理は終了する。
また、会員カードの挿入（受付）が行われた場合には（Ｓ１２１：Ｙｅｓ）、所定の貯玉操作（チケット発行ボタン２２ａの操作）が行われることにより（Ｓ１２５：Ｙｅｓ）、制御部２９により、通常（正規）の貯玉処理が実行され（Ｓ１２６）、会員カードが遊技者に排出・返却された後（Ｓ１２８）、シャッター３１が閉鎖状態に駆動されて（Ｓ１２８）、計数処理は終了する。
【００７２】
［チケット発行・貯玉操作時に閉鎖状態判定］
図９は、本実施形態に係る計数装置１０における計数処理動作を示すフローチャートであり、シャッター３１が閉鎖状態であるか否かを、計数された遊技球のチケット発行又は貯玉操作が行われたタイミングで判定する場合である。
図９に示す計数処理２００は、上述した図８で示した計数処理１００の場合と同様、まず、シャッター３１が開放状態であるか否か、具体的には、遊技場側の店員（従業員）によるシャッター３１の開放操作が行われたか否かによって大別される（Ｓ２０１）。
【００７３】
店員によるシャッター３１の開放操作が行われていない場合には（Ｓ２０１：Ｎｏ）、制御部２９により計数センサ部２５からの計数信号が検出されて計数処理が「有り」と判定されると（Ｓ２０２：Ｙｅｓ）、次に、制御部２９により、カードリーダ部２３への会員カードが挿入（受付）されたか否かが判定される（Ｓ２０３）。
会員カードの挿入（受付）が行われていない場合（Ｓ２０３：Ｎｏ）、チケット発行部２２に対するチケット発行操作（チケット発行ボタン２２ａの操作）が行われるまで待機される（Ｓ２０４）。
チケット発行操作が行われると（Ｓ２０４：Ｙｅｓ）、制御部２９は、記憶部２７を構成するＲＡＭにシャッター３１が閉鎖状態であることを示す情報が記憶されているか否かを参照する（Ｓ２０５）。
【００７４】
記憶部２７にシャッター３１が閉鎖状態であることを示す情報が記憶されている場合には（Ｓ２０５：Ｙｅｓ）、制御部２９は、チケット発行部２２に所定情報が記録・印刷されたチケット（シャッター閉チケット：図３（ｂ）参照）をチケット発行部２２に発行させ（Ｓ２０６）、計数処理は終了となる。
また、上記Ｓ２０５において、記憶部２７にシャッター３１が閉鎖状態であることを示す情報が記憶されていないと判定された場合には（Ｓ２０７：Ｎｏ）、このタイミングまでに、店員によるシャッター３１の開放操作が行われたことになり、通常（正規）のチケット発行が行われて（Ｓ２０７）、計数処理は終了となる。
【００７５】
一方、上記Ｓ２０３において、カードリーダ部２３への会員カードの挿入（受付）が行われている場合には（Ｓ２０３：Ｙｅｓ）、所定の貯玉操作（チケット発行ボタン２２ａの操作）が行われることにより（Ｓ２０８：Ｙｅｓ）、制御部２９は、記憶部２７を構成するＲＡＭにシャッター３１が閉鎖状態であることを示す情報が記憶されているか否かを参照する（Ｓ２０９）。
記憶部２７にシャッター３１が閉鎖状態であることを示す情報が記憶されている場合には（Ｓ２０９：Ｙｅｓ）、制御部２９は、カードリーダ部２３に、挿入された会員カードの受け入れを行わせず、会員カードを排出させる（Ｓ２１０）。
【００７６】
これによって、シャッター３１が閉鎖状態において計数処理された遊技球が会員カードと関連付けられて貯玉処理されることが防止・排除される。
会員カードが排出された場合には、上記Ｓ２０４においてチケット発行操作が行われるまで待機され、チケット発行操作が行われると（Ｓ２０４：Ｙｅｓ）、上述の通り、制御部２９は、ＲＡＭのシャッター状態情報に応じて、チケット発行部２２に所定情報が記録・印刷されたチケット（シャッター閉チケット：図３（ｂ）参照）、又は通常（正規）のチケット（図３（ａ）参照）を発行させて、計数処理が終了する（Ｓ２０５〜２０７）。
【００７７】
このようにして、シャッター３１が閉鎖状態において計数処理された遊技球については、会員カードによる貯玉処理を行おうとしても処理は行われず、かつ、必ずシャッター閉チケットが発行されることになるので、遊技場側ではそのチケットを確認することで、そのようなシャッター３１が閉鎖状態における計数処理が行われたことを、確実に把握・確認することができるようになる。
また、上記Ｓ２０９において、記憶部２７にシャッター３１が閉鎖状態であることを示す情報が記憶されていないと判定された場合には（Ｓ２０９：Ｎｏ）、このタイミングまでに、店員によるシャッター３１の開放操作が行われたことになり、制御部２９により、通常（正規）の貯玉処理が実行され（Ｓ２１３）、その後、会員カードが遊技者に排出・返却されて（Ｓ２１４）、計数処理は終了する。
【００７８】
また、上記Ｓ２０１において、シャッター３１が開放状態であると判定された場合、すなわち、遊技場側の店員によるシャッター３１の開放操作が行われた場合（Ｓ２０１：Ｙｅｓ）には、通常（正規）の計数処理と、それに伴うチケット発行／貯玉処理が行われる（Ｓ２１９〜２２８）。
この場合は、通常（正規）の計数処理と、それに続くチケット発行／貯玉処理に係る処理動作であり、詳細は上述した図８におけるＳ１１９〜１２８と同様である。
【００７９】
［計数処理時に閉鎖状態判定／貯玉データクリア］
図１０は、本実施形態に係る計数装置１０における計数処理動作を示すフローチャートであり、図８に示す処理動作において、シャッター３１の閉鎖状態において行われた計数処理について貯玉操作が行われると計数値を無効（クリア）にする場合である。
図１０に示す計数処理３００は、基本的には、上述した図８に示した計数処理１００と同様となっている。図１０において、図８のＳ１０１〜１２８に対応する下２桁の工程番号を付したＳ３０１〜３２８は、図８の場合と同様の処理動作が行われる。
【００８０】
図１０においては、Ｓ３０５において、カードリーダ部２３への会員カードの挿入（受付）が行われている場合に（Ｓ３０５：Ｙｅｓ）、制御部２９が、カードリーダ部２３に会員カードの受け入れを行わせず、会員カードを排出させた（Ｓ３１０）後の処理が、図８に示したＳ１０５〜Ｓ１１０の後の処理と異なっている。
図８のＳ１１０で会員カードが受け入れられず排出された後は、チケット発行操作が行われることで所定情報が記録されたシャッター閉チケットを発行させるようになっている（Ｓ１０６〜１０９）。
【００８１】
これに対して、図１０のＳ３１０で会員カードが受け入れられず排出されると、まず、制御部２９が、当該会員カードが挿入され排出されたことをログ（履歴情報）として記憶部２７に記憶させる（Ｓ３１１）。
ここで、記憶部２７に記憶されるログの情報としては、会員カードに記録されている会員識別情報（会員ＩＤ）や会員カードの挿入操作が行われた日時などが含まれる。このようにすることで、シャッター３１が閉鎖状態において計数処理されたことが、履歴情報として記録され、後に参照することで、当該計数処理に関連したトラブル発生等に対応することができるようになる。
【００８２】
会員カードが挿入されたことのログが記録された後は、制御部２９は、当該会員カードに係るシャッター３１の閉鎖状態において行われた計数処理の結果を示す計数値をクリアして、抹消・無効とする（Ｓ３１２）。
上述の通り、シャッター３１の閉鎖状態中に計数が行われた場合には、計数された遊技球を貯玉処理する必要性は低く、遊技場側では、上述したログの記録により、そのようなシャッター３１の閉鎖状態中に計数が行われたことが把握できれば十分である。むしろ、そのような計数処理に基づいて貯玉処理が行われることは、遊技場側に不足の損害を与える可能性も有り得る。
【００８３】
そこで、この図１０に示す計数処理においては、シャッター３１の閉鎖状態中に行われた計数結果については、ログ情報を記録した上で（Ｓ３１１）、計数値のデータをクリア（無効）にするようにしてある（Ｓ３１２）。
これによって、不正・不必要な貯玉処理が実行されることを確実に防止することができるようになる。
そのたの処理動作については、図８に示した計数処理と同様である。
【００８４】
［チケット発行・貯玉操作時に判定／貯玉データクリア］
図１１は、本実施形態に係る計数装置１０における計数処理動作を示すフローチャートであり、図９に示す処理動作において、シャッター３１の閉鎖状態において行われた計数処理について貯玉操作が行われると計数値を無効（クリア）にする場合である。
図１１に示す計数処理４００は、基本的には、上述した図９に示した計数処理２００と同様となっている。図１１において、図９のＳ２０１〜２２８に対応する下２桁の工程番号を付したＳ４０１〜４２８は、図９の場合と同様の処理動作が行われる。
【００８５】
図１１においては、Ｓ４０３において、カードリーダ部２３への会員カードの挿入（受付）が行われ（Ｓ４０３：Ｙｅｓ）、貯玉操作が行われて（Ｓ４０８：Ｙｅｓ）、制御部２９が、記憶部２７を構成するＲＡＭにシャッター３１が閉鎖状態であることを示す情報が記憶されているか否かを参照し（Ｓ４０９）、記憶部２７にシャッター３１が閉鎖状態であることを示す情報が記憶されている場合に（Ｓ４０９：Ｙｅｓ）、カードリーダ部２３に会員カードの受け入れを行わせず、会員カードを排出させた（Ｓ４１０）後の処理が、図９に示したＳ２０３〜２１０の後の処理と異なっている。
図９のＳ２１０で会員カードが受け入れられず排出された後は、チケット発行操作が行われることで所定情報が記録されたシャッター閉チケット、又は通常のチケットを発行させるようになっている（Ｓ２０４〜２０７）。
【００８６】
これに対して、図１１のＳ４１０で会員カードが受け入れられず排出されると、上述した図１０で示した処理動作（Ｓ３１０〜３１２）と同様に、制御部２９により、会員カードが挿入・排出されたことを示すログ（履歴情報）の記憶と（Ｓ４１１）、当該会員カードに係るシャッター３１の閉鎖状態において行われた計数結果を示す計数値のクリア処理が行われる（Ｓ４１２）。
これによって、図１１における計数処理においても、不正・不必要な貯玉処理が実行されることを確実に防止することができるようになる。
そのたの処理動作については、図１０に示した計数処理と同様である。
【００８７】
［シャッター開口部有り／計数処理時に判定］
図１２は、本実施形態に係る少量計数用の開口部３１ａ〜３１ｃを有するシャッター３１を備えた計数装置１０における計数処理動作を示すフローチャートであり、シャッター３１が閉鎖状態であるか否かを、遊技球の計数が行われたタイミングで判定する場合である。
図１２に示す計数処理では、シャッター３１が図７に示した開口部３１ａ〜３１ｃを備えており、店員によるシャッター開放操作が行われていないシャッター３１が閉鎖状態にある場合でも、遊技者単独による少額景品への交換のための、遊技球の少量計数が承認・許容されている場合である。
【００８８】
また、この場合に、開口部３１ａ〜３１ｃを介して遊技者単独で少量計数を行うに際して、遊技者に所定の景品選択操作を行わせた上で、計数処理を実行できるようにするものである。例えば、上述したように装置本体２０の表示部２１などに、所定の少額景品（例えばタバコや缶コーヒー，缶ジュース等）を選択させる景品選択画面を表示させ、当該画面に表示された少額景品の選択操作が行われた場合には、開口部３１ａ〜３１ｃから投入された遊技球の計数処理を許容・実行させるようにする。これによって、少額景品との関連においてのみ、開口部３１ａ〜３１ｃを介した遊技者単独での計数処理を実行させることができ、開口部３１ａ〜３１ｃを介して無制限な計数処理が実行されることを防止するものである。
なお、図１２に示す場合には、計数処理された遊技球について貯玉処理の要求があった場合についての工程は省略してあるが、貯玉処理については、上述した図８〜１０に示した処理動作に準じて、所定の貯玉処理を行わせ、又は行わせないようにすることができる。
【００８９】
図１２に示す計数処理５００は、まず、制御部２９により計数センサ部２５における計数処理の有無が判定され（Ｓ５０１）、「計数有」と判定されると（Ｓ５０１：Ｙｅｓ）、次に、上述した遊技者による景品選択操作が行われた否かが判定される（Ｓ５０２）。
この景品選択操作の有無によって、処理動作が二つに大別される。
【００９０】
遊技者による景品選択操作が行われていない場合は（Ｓ５０２：Ｎｏ）、遊技者単独で行える少量計数ではないことになり、まず、制御部２９が、記憶部２７を構成するＲＡＭにシャッター３１が閉鎖状態であることを示す情報が記憶されているか否かを参照する（Ｓ５０３）。
記憶部２７にシャッター３１が閉鎖状態であることを示す情報が記憶されている場合には（Ｓ５０３：Ｙｅｓ）、制御部２９は、チケット発行部２２に所定の追加表示を印刷させるために「シャッター閉フラグＯＮ」にする（Ｓ５０４）。
【００９１】
その後、チケット発行操作が行われると（Ｓ５０５：Ｙｅｓ）、制御部２９は、上記シャッター閉フラグ（Ｓ５０４）に基づいて、シャッター３１が閉鎖状態において計数処理が行われたことを示す所定情報が記録・印刷されたチケット（シャッター閉チケット：図３（ｂ）参照）をチケット発行部２２に発行させる（Ｓ５０６）。
なお、この場合のシャッター閉チケットは、図３（ｂ）に示すように、「シャッター閉鎖」状態で計数されたことを示し、かつ、図４（ｂ）や図５（ｂ）に示すような「少量計数」を示すチケットではないチケットが発行されることになる。
その後、制御部２９は、シャッター閉フラグがＯＮの場合には（Ｓ５０７：Ｙｅｓ）、そのシャッター閉フラグをＯＦＦにして（Ｓ５０８）、計数処理は終了となる。
また、上記Ｓ５０３において、記憶部２７にシャッター３１が閉鎖状態であることを示す情報が記憶されていないと判定された場合には（Ｓ５０３：Ｎｏ）、このタイミングまでに、店員によるシャッター３１の開放操作が行われたことになり、通常（正規）のチケット（図３（ａ）参照）の発行処理が行われる（Ｓ５０９）。
【００９２】
一方、上記Ｓ５０２において、遊技者による景品選択操作が行われた場合には（Ｓ５０２：Ｙｅｓ）、遊技者単独で行える少量計数の場合であり、この場合も、まず、制御部２９が、記憶部２７を構成するＲＡＭにシャッター３１が閉鎖状態であることを示す情報が記憶されているか否かを参照する（Ｓ５１０）。
記憶部２７にシャッター３１が閉鎖状態であることを示す情報が記憶されている場合には（Ｓ５１０：Ｙｅｓ）、シャッター３１は、図７（ａ），（ｂ）に示すような、閉鎖状態においても遊技球を投入口３２に投入可能な開口部３１ａ，３１ｂを備えている場合となる。この場合には、制御部２９は、チケット発行部２２に所定の追加表示を印刷させるために「シャッター閉フラグＯＮ」にする（Ｓ５１１）。
【００９３】
その後、チケット発行操作が行われると（Ｓ５１２：Ｙｅｓ）、制御部２９は、上記シャッター閉フラグ（Ｓ５１１）に基づいて、シャッター３１が閉鎖状態において計数処理が行われたことを示す所定情報が記録・印刷されたチケット（シャッター閉チケット：図４（ｂ）参照）をチケット発行部２２に発行させる（Ｓ５１３）。
なお、この場合のシャッター閉チケットは、シャッター閉鎖状態で計数されたことを示しつつ、遊技場側で承認・許可している「少量計数」であることを示す図４（ｂ）に示すような「シャッター閉鎖」と「少量計数」の双方を示すチケット（シャッター閉景品チケット）が発行されるようにする。
その後、制御部２９は、シャッター閉フラグがＯＮの場合には（Ｓ５１４：Ｙｅｓ）、そのシャッター閉フラグをＯＦＦにして（Ｓ５１５）、計数処理は終了となる。
【００９４】
また、上記Ｓ５１０において、記憶部２７にシャッター３１が閉鎖状態であることを示す情報が記憶されていないと判定された場合には（Ｓ５１６：Ｎｏ）、シャッター３１は、図７（ｃ）に示すような、遊技者の景品選択操作に応じてシャッター３１が開放状態に駆動される開口部３１ｃを備えている場合となる。この場合には、制御部２９の制御により、シャッターが閉鎖状態ではなく、かつ、遊技場側で承認・許可している「少量計数」であることを示す図５（ｂ）に示すような「少量計数」を示すチケット（景品チケット）が発行される（Ｓ５１６）。
以上のようにして、開口部３１ａ〜３１ｃを有するシャッター３１を備えた計数装置１０において、当該開口部３１ａ〜３１ｃを介した「少量計数」であるか否かを検出・判定し、その結果をチケットに記録して遊技場側で正しく把握・確認することができるようになる。
【００９５】
［シャッター開口部有り／チケット発行・貯玉操作時に判定］
図１３は、本実施形態に係る少量計数用の開口部３１ａ〜３１ｃを有するシャッター３１を備えた計数装置１０における計数処理動作を示すフローチャートであり、シャッター３１が閉鎖状態であるか否かを、計数された遊技球のチケット発行操作が行われたタイミングで判定する場合である。
図１３に示す計数処理は、上述した図１２の場合と同様、シャッター３１が図７に示した開口部３１ａ〜３１ｃを備えており、店員によるシャッター開放操作が行われていないシャッター３１が閉鎖状態にある場合でも、遊技者単独による少額景品への交換のための、遊技球の少量計数が承認・許容されている場合である。図１２の計数処理と異なる点は、図１２の場合には、シャッター３１が閉鎖状態であるか否かを、計数処理が検出されたタイミングで判定していたのに対して、図１３の場合では、チケット発行操作が行われたタイミングで判定している点である。
その他の点においては、図１２における計数処理とほぼ同様となっている。
【００９６】
図１３に示す計数処理６００においても、図１２の場合と同様、まず、制御部２９により計数センサ部２５における計数処理の有無が判定され（Ｓ６０１）、「計数有」と判定されると（Ｓ６０１：Ｙｅｓ）、次に、上述した遊技者による景品選択操作が行われた否かが判定される（Ｓ６０２）。
そして、この景品選択操作の有無によって、処理動作が二つに大別される。
【００９７】
遊技者による景品選択操作が行われていない場合（Ｓ６０２：Ｎｏ）、遊技者単独で行える少量計数ではないことになり、チケット発行部２２に対するチケット発行操作（チケット発行ボタン２２ａの操作）が行われるまで待機される（Ｓ６０３）。
チケット発行操作が行われると（Ｓ６０３：Ｙｅｓ）、制御部２９は、記憶部２７を構成するＲＡＭにシャッター３１が閉鎖状態であることを示す情報が記憶されているか否かを参照する（Ｓ６０４）。
【００９８】
記憶部２７にシャッター３１が閉鎖状態であることを示す情報が記憶されている場合には（Ｓ６０４：Ｙｅｓ）、制御部２９は、シャッター３１が閉鎖状態において計数処理が行われたことを示す所定情報が記録・印刷されたチケット（シャッター閉チケット：図３（ｂ）参照）をチケット発行部２２に発行させ（Ｓ６０５）、計数処理は終了となる。
なお、この場合のシャッター閉チケットは、図３（ｂ）に示すように、「シャッター閉鎖」状態で計数されたことを示し、かつ、図４（ｂ）や図５（ｂ）に示すような「少量計数」を示すチケットではないチケットが発行されるようにする。
また、上記Ｓ６０４において、記憶部２７にシャッター３１が閉鎖状態であることを示す情報が記憶されていないと判定された場合には（Ｓ６０４：Ｎｏ）、このタイミングまでに、店員によるシャッター３１の開放操作が行われたことになり、通常（正規）のチケット（図３（ａ）参照）の発行が行われて（Ｓ６０６）、計数処理は終了となる。
【００９９】
一方、上記Ｓ６０２において、遊技者による景品選択操作が行われた場合には（Ｓ６０２：Ｙｅｓ）、遊技者単独で行える少量計数の場合であり、この場合も、チケット発行部２２に対するチケット発行操作（チケット発行ボタン２２ａの操作）が行われるまで待機される（Ｓ６０７）。
チケット発行操作が行われると（Ｓ６０７：Ｙｅｓ）、制御部２９は、記憶部２７を構成するＲＡＭにシャッター３１が閉鎖状態であることを示す情報が記憶されているか否かを参照する（Ｓ６０８）。
【０１００】
記憶部２７にシャッター３１が閉鎖状態であることを示す情報が記憶されている場合には（Ｓ６０８：Ｙｅｓ）、シャッター３１は、図７（ａ），（ｂ）に示すような、閉鎖状態においても遊技球を投入口３２に投入可能な開口部３１ａ，３１ｂを備えている場合となる。この場合には、制御部２９は、チケット発行部２２に所定情報が記録・印刷されたチケット（シャッター閉チケット：図４（ｂ）参照）をチケット発行部２２に発行させ（Ｓ６０９）、計数処理は終了となる。
この場合のシャッター閉チケットは、シャッター閉鎖状態で計数されたことを示しつつ、遊技場側で承認・許可している「少量計数」であることを示す図４（ｂ）に示すような「シャッター閉鎖」と「少量計数」の双方を示すチケット（シャッター閉景品チケット）が発行されるようになる。
また、上記Ｓ６０８において、記憶部２７にシャッター３１が閉鎖状態であることを示す情報が記憶されていないと判定された場合には（Ｓ６０８：Ｎｏ）、シャッター３１は、図７（ｃ）に示すような、遊技者の景品選択操作に応じてシャッター３１が開放状態に駆動される開口部３１ｃを備えている場合となる。この場合には、制御部２９の制御により、シャッターが閉鎖状態ではなく、かつ、遊技場側で承認・許可している「少量計数」であることを示す図５（ｂ）に示すような「少量計数」を示すチケット（景品チケット）が発行されて（Ｓ６１０）、計数処理は終了となる。
以上のようにして、図１３に示す計数処理においても、図１２の場合と同様、シャッター３１に設けられた開口部３１ａ〜３１ｃを介した「少量計数」であるか否かを判定して、その結果をチケットに記録して遊技場側で正しく把握・確認することができる。
【０１０１】
以上説明したように、本実施形態に係る計数装置１０によれば、計数装置１０のシャッター３１が閉鎖状態にある場合に行われた計数処理や、遊技者単独で行うことを許容された少量計数を検出することができる。
そして、そのような計数処理が行われた場合には、チケット発行部２２で発行されるチケットに、シャッター３１の閉鎖状態中に計数が行われたことや少量計数が行われたことを示す追加情報が印刷表示等で記録することができる。
また、そのようなシャッター３１の閉鎖状態中に行われた計数に係る遊技球については、貯玉処理を行わせないようにすることができる。
【０１０２】
その結果、所定のそのチケットが遊技場の景品交換カウンターに提示されることで、当該チケットに係る計数処理が、シャッター３１の閉鎖状態中に行われたことや少量計数として行われたことが、遊技場側で把握できるようになる。
また、本来行われるべきでない計数に基づく貯玉処理や、必要のない貯玉処理が行われることを確実に防止することができる。
これによって、従業員等の立ち会いのない状態で行われた計数処理を正しく検出・把握でき、計数装置の故障や不正行為等のトラブルの発生を防止乃至抑制することができる。
【０１０３】
以上、本発明の遊技媒体計数装置において、好ましい実施形態を示して説明したが、本発明に係る遊技媒体計数装置は、上述した実施形態にのみ限定されるものではなく、本発明の範囲で種々の変更実施が可能であることは言うまでもない。
例えば、上述した本実施形態においては、計数装置１０における計数対象となる遊技媒体を遊技球としたが、計数対象はメダル（コイン）とすることもできる。
また、シャッター３１の機械的構成は、図６に示した実施形態のものに限定されない。
同様に、シャッター３１に設けられる開口部３１ａ〜３１ｃについても、その形状・形態は、図７に示した実施形態のものに限定されるものではない。
【産業上の利用可能性】
【０１０４】
本発明は、遊技球やメダル（コイン）等の遊技媒体を計数する遊技媒体計数装置に好適に適用することができる。
【符号の説明】
【０１０５】
１０      計数装置
２０      装置本体
２２    チケット発行部
２３    カードリーダ部
２５    計数センサ部
２７    記憶部
２９    制御部
３０  シャッター部
３１  シャッター
３１ａ、３１ｂ、３１ｃ  開口部
３２  投入口
【図１】
2015062464.tif 000003
【図２】
2015062464.tif 000004
【図３】
2015062464.tif 000005
【図４】
2015062464.tif 000006
【図５】
2015062464.tif 000007
【図６】
2015062464.tif 000008
【図７】
2015062464.tif 000009
【図８】
2015062464.tif 000010
【図９】
2015062464.tif 000011
【図１０】
2015062464.tif 000012
【図１１】
2015062464.tif 000013
【図１２】
2015062464.tif 000014
【図１３】
2015062464.tif 000015